(57)【要約】【課題】取り上げられる際のハンドリング性に優れた買物カゴを提供すること。【解決手段】買物カゴ１は、カゴ本体２と、カゴ本体２に設けられた回動軸７と、回動軸７によってカゴ本体２に回動自在に連結され、カゴ本体２に倒れた状態と起立した状態とに変位する把手３と、カゴ本体２に設けられ、把手３がカゴ本体２に倒れた状態に変位したときに、把手３の回動軸７側よりも把手３の回動軸７側の反対側を上方に位置させる傾斜部２２とを備える。【選択図】図３
2020050389.tif 000002
【特許請求の範囲】
【請求項１】
カゴ本体と、
前記カゴ本体に設けられた回動構成部と、
前記回動構成部によって前記カゴ本体に回動自在に連結され、該カゴ本体に倒れた状態と起立した状態とに変位する把手と、
前記カゴ本体と前記把手のうち少なくとも一方に設けられ、該把手が該カゴ本体に倒れた状態に変位したときに、該把手の前記回動構成部側よりも該把手の該回動構成部側の反対側を上方に位置させる跳ね上げ手段とを備えることを特徴とする買物カゴ。
【請求項２】
前記カゴ本体の上辺に設けられ、該カゴ本体の外方へ張り出したフランジを備え、
前記フランジは、前記回動構成部側から該回動構成部側の反対側へ向かうに連れて上がるように傾斜した傾斜部を有し、
前記跳ね上げ手段は、前記傾斜部を含み、
前記把手は、少なくとも前記フランジの一部に倒れた状態に変位することを特徴とする請求項１に記載の買物カゴ。
【請求項３】
前記フランジは、前記カゴ本体の外方へ張り出すと共に下方へ傾斜した下方傾斜フランジを含むことを特徴とする請求項２に記載の買物カゴ。
【請求項４】
前記把手において前記カゴ本体側の側端に設けられ、該把手が該カゴ本体に倒れた状態に変位したときに、下方へ突き出すと共に、少なくとも一部が該カゴ本体よりも外方側に位置するグリップ部を備えることを特徴とする請求項１乃至請求項３のいずれか一つに記載の買物カゴ。
【請求項５】
前記把手が前記カゴ本体に倒れた状態において、
前記把手の前記回動構成部側の反対側に設けられ、前記カゴ本体よりも該カゴ本体の外方へ張り出す張出部と、
前記カゴ本体の平面視で、該カゴ本体と前記把手の前記張出部との間に形成される第１空間部と、
前記把手の前記張出部が位置する側の、前記カゴ本体に設けられ、下方へ凹む第１凹部と、
前記把手の前記張出部に設けられ、上方へ凹む第２凹部と、
前記カゴ本体の側面視で、前記第１凹部と前記第２凹部との間に形成される第２空間部とを備えることを特徴とする請求項１乃至請求項４のいずれか一つに記載の買物カゴ。
【発明の詳細な説明】
【技術分野】
【０００１】
本発明は、カゴ本体と、カゴ本体に回動自在に連結された把手とを備える買物カゴに関するものである。
【背景技術】
【０００２】
従来より、カゴ本体と、カゴ本体に回動自在に連結された把手とを備える買物カゴに関し、種々の技術が提案されている。
【０００３】
例えば、下記特許文献１に記載のスーパー用買物かごは、把手がカゴ本体に接するように倒れた状態にある。従って、使用者は、スーパー用買物かごを手に取る際は、把手をカゴ本体から起立させた状態とし、その状態の把手を握る。
【先行技術文献】
【特許文献】
【０００４】
【特許文献１】実開昭５５−１６０６２１号公報
【発明の概要】
【発明が解決しようとする課題】
【０００５】
しかしながら、カゴ本体から起立させる際の把手は、カゴ本体に接するように倒れた状態にあるので、ハンドリング性が悪かった。
【０００６】
そこで、本発明は、上述した点を鑑みてなされたものであり、取り上げられる際のハンドリング性に優れた買物カゴを提供することを課題とする。
【課題を解決するための手段】
【０００７】
この課題を解決するためになされた請求項１に係る発明は、買物カゴであって、カゴ本体と、カゴ本体に設けられた回動構成部と、回動構成部によってカゴ本体に回動自在に連結され、カゴ本体に倒れた状態と起立した状態とに変位する把手と、カゴ本体と把手のうち少なくとも一方に設けられ、把手がカゴ本体に倒れた状態に変位したときに、把手の回動構成部側よりも把手の回動構成部側の反対側を上方に位置させる跳ね上げ手段とを備えることを特徴とする。
【０００８】
請求項２に係る発明は、請求項１に記載の買物カゴであって、カゴ本体の上辺に設けられ、カゴ本体の外方へ張り出したフランジを備え、フランジは、回動構成部側から回動構成部側の反対側へ向かうに連れて上がるように傾斜した傾斜部を有し、跳ね上げ手段は、傾斜部を含み、把手は、少なくともフランジの一部に倒れた状態に変位することを特徴とする。
【０００９】
尚、傾斜部は、直線状であってもよいし、曲線状であってもよい。また、把手も、直線状であってもよいし、曲線状であってもよい。
【００１０】
請求項３に係る発明は、請求項２に記載の買物カゴであって、フランジは、カゴ本体の外方へ張り出すと共に下方へ傾斜した下方傾斜フランジを含むことを特徴とする。
【００１１】
請求項４に係る発明は、請求項１乃至請求項３のいずれか一つに記載の買物カゴであって、把手においてカゴ本体側の側端に設けられ、把手がカゴ本体に倒れた状態に変位したときに、下方へ突き出すと共に、少なくとも一部がカゴ本体よりも外方側に位置するグリップ部を備えることを特徴とする。
【００１２】
請求項５に係る発明は、請求項１乃至請求項４のいずれか一つに記載の買物カゴであって、把手がカゴ本体に倒れた状態において、把手の回動構成部側の反対側に設けられ、カゴ本体よりもカゴ本体の外方へ張り出す張出部と、カゴ本体の平面視で、カゴ本体と把手の張出部との間に形成される第１空間部と、把手の張出部が位置する側の、カゴ本体に設けられ、下方へ凹む第１凹部と、把手の張出部に設けられ、上方へ凹む第２凹部と、カゴ本体の側面視で、第１凹部と第２凹部との間に形成される第２空間部とを備えることを特徴とする。
【発明の効果】
【００１３】
請求項１に係る発明の買物カゴでは、把手がカゴ本体に倒れた状態に変位すると、カゴ本体と把手のうち少なくとも一方に設けられた跳ね上げ手段によって、把手の回動構成部側よりも把手の回動構成部側の反対側が上方に位置するので、把手の回動構成部側の反対側が上方を向く。そのため、使用者は、把手の回動構成部側の反対側を取り易い。これにより、請求項１に係る発明の買物カゴは、取り上げられる際のハンドリング性に優れる。
【００１４】
請求項２に係る発明の買物カゴにおいて、把手は、フランジの傾斜部の上方に、又は、フランジの傾斜部に沿うようにして、倒れた状態に変位する。そのため、請求項２に係る発明の買物カゴは、カゴ本体及び把手の双方又は一方に跳ね上げ手段を別途取り付ける必要がないので、その取り付けの手間を省くことが可能である。
【００１５】
請求項３に係る発明の買物カゴのように、把手が倒れるフランジとして下方傾斜フランジが設けられた場合には、把手と下方傾斜フランジとの間に隙間が形成されるので、使用者は、下方傾斜フランジに倒れた状態にある把手を取り易い。尚、把手が跳ね上げ手段によって離間している箇所に下方傾斜フランジが設けられていると、使用者は、把手をより一層に取り易い。
【００１６】
請求項４に係る発明の買物カゴでは、把手がカゴ本体に倒れた状態にあるときのグリップ部が、把手において、カゴ本体側の側端から下方へ突き出している。よって、グリップ部は、把手がカゴ本体から起立した状態に変位すると、把手の下端からカゴ本体の外方へ突き出した状態になる。そのため、カゴ本体から起立した状態にある把手を、使用者が握ると、グリップ部によって、使用者の手（のひら）と把手との接触面積が広がる。これにより、請求項４に係る発明の買物カゴは、取り上げられる際のグリップ性に優れる。
【００１７】
それゆえ、請求項４に係る発明の買物カゴでは、使用者の手（のひら）で握り易くするためのカバー部材を把手に取り付ける必要がないので、その取り付けの手間を省くことが可能である。
【００１８】
また、請求項４に係る発明の買物カゴでは、把手がカゴ本体に倒れた状態に変位すると、グリップ部の少なくとも一部が、カゴ本体よりも外方側に位置する。そのため、使用者は、グリップ部を下方から持ち上げるようにして、把手を操作することが可能である。これにより、請求項４に係る発明の買物カゴは、取り上げられる際において、ハンドリング性を損なわずに、優れたグリップ性を確保することが可能である。
【００１９】
請求項５に係る発明の買物カゴでは、把手がカゴ本体に倒れた状態にあると、把手の回動構成部側の反対側に設けられた張出部が、カゴ本体よりもカゴ本体の外方へ張り出す。そのため、使用者は、その指を把手の張出部に掛け易い。
請求項５に係る発明の買物カゴでは、把手がカゴ本体に倒れた状態にあると、カゴ本体の平面視で、カゴ本体と把手の張出部との間に第１空間部が形成される。そのため、使用者は、その指を第１空間部に差し入れると、その指を把手の張出部に一層掛け易くなる。
請求項５に係る発明の買物カゴにおいて、把手がカゴ本体に倒れた状態にあると、把手の張出部が位置する側では、カゴ本体に設けられた第１凹部が下方へ凹んだ状態にあり、更に、把手の張出部に設けられた第２凹部が上方へ凹んだ状態になる。よって、カゴ本体の側面視で、カゴ本体の第１凹部と把手の張出部の第２凹部との間に形成される第２空間部によって、カゴ本体と把手との間が広く確保される。そのため、使用者は、その指を、カゴ本体と把手との間に比較的深くまで差し入れ易い。
以上より、請求項５に係る発明の買物カゴは、取り上げられる際のハンドリング性が一層優れる。
【図面の簡単な説明】
【００２０】
【図１】本発明の実施形態の買物カゴが表された斜視図である。
【図２】同買物カゴが表された斜視図である。
【図３】同買物カゴが表された斜視図である。
【図４】中心線Ａよりも左側は同買物カゴが表された側面図であり、中心線Ａよりも右側は同買物カゴの断面が表された図である。
【図５】中心線Ｂよりも左側は同買物カゴが表された正面図であり、中心線Ｂよりも右側は同買物カゴの断面が表された図である。
【図６】同買物カゴが表された平面図である。
【図７】中心線Ａよりも左側は同買物カゴが表された側面図であり、中心線Ａよりも右側は同買物カゴの断面が表された図である。
【図８】中心線Ｂよりも左側は同買物カゴが表された正面図であり、中心線Ｂよりも右側は同買物カゴの断面が表された図である。
【図９】同買物カゴのグリップ部が表された側面図（同グリップ部の部分断面図）である。
【図１０】段積み状態の同買物カゴが表された斜視図である。
【図１１】段積み状態の同買物カゴの断面が表された図である。
【図１２】同買物カゴの変更例が表された側面図である。
【発明を実施するための形態】
【００２１】
以下、本発明に係る買物カゴについて、具体化した本実施形態に基づき、図面を参照しつつ説明する。
【００２２】
（１）買物カゴ１の概要
図１乃至図３に表されたように、買物カゴ１は、カゴ本体２、及び一対の把手３を備えている。カゴ本体２、及び一対の把手３は、ポリプロピレン等の樹脂を材料とした金型成形によって作られている。カゴ本体２は、底面部１０、一対の長辺側側面部２０、及び一対の短辺側側面部３０等を備えている。
【００２３】
尚、図１乃至図３において、符号Ｄ１の方向は、上下方向（つまり、買物カゴ１の高さ方向）を示している。符号Ｄ２の方向は、底面部１０、及び一対の長辺側側面部２０の幅方向を示している。符号Ｄ３の方向は、一対の短辺側側面部３０の幅方向を示している。各方向Ｄ１，Ｄ２，Ｄ３は、互いに直交する関係にある。これらの点は、後述する他の図においても、同様である。
【００２４】
（２）カゴ本体２の概要
底面部１０は、略矩形状をなし、相対する一対の長辺１２、及び相対する一対の短辺１４を備えている。底面部１０の下側四隅には、４つの脚部１６が突設されている。底面部１０の各長辺１２からは、各長辺側側面部２０が上方向へ延出している。底面部１０の各短辺１４からは、各短辺側側面部３０が上方向へ延出している。これにより、カゴ本体２は、底面部１０より広い上面が開放された逆四角錐台状に形作られている。従って、一方の買物カゴ１のカゴ本体２に、例えば、その開放上面の上方から、他方の買物カゴ１のカゴ本体２を嵌め入れることによって、双方の買物カゴ１を積み重ねることが可能である。
【００２５】
底面部１０、一対の長辺側側面部２０、及び一対の短辺側側面部３０には、複数の穴４が形成されている。一対の長辺側側面部２０及び一対の短辺側側面部３０の各上辺には、カゴ本体２の外方へ張り出したフランジ５が設けられている。フランジ５は、カゴ本体２の外方へ向かうに連れて下方向へ傾斜する、下方傾斜フランジ５Ａとして形成されている。一対の長辺側側面部２０には、その幅方向Ｄ２の両側において、一対の当接リブ６が、フランジ５の下面に連なるようにして立設されている。
【００２６】
一対の長辺側側面部２０には、その幅方向Ｄ２の中央領域において、短辺側側面部３０の幅方向Ｄ３で対向する一対の回動軸７が、フランジ５の上面に設けられている。一対の回動軸７には、把手３が軸支されている。これにより、把手３は、カゴ本体２のフランジ５に倒れた状態（つまり、図１及び図２に表された状態）と、カゴ本体２のフランジ５から起立した状態（つまり、図３に表された状態）に変位することが可能である。
【００２７】
図３に表されたように、一対の長辺側側面部２０のフランジ５の上面には、回動軸７から短辺側側面部３０に向かうに連れて上方向へ傾斜する、湾曲状の傾斜部２２が設けられている。これに対して、一対の短辺側側面部３０のフランジ５の上面には、凹んだ状態の第１凹部３２が設けられている。第１凹部３２は、短辺側側面部３０の幅方向Ｄ３の中央に向かうに連れて下方向へ入り込んでいる。尚、図３に表された符号４２は、把手３に設けられたグリップ部を示している。そのグリップ部４２については、後述する。
【００２８】
把手３は、図１及び図２に表されたように、カゴ本体２のフランジ５（つまり、傾斜部２２）に倒れた状態に変位すると、傾斜部２２に載置されることによって、回動軸７側よりも回動軸７側の反対側（つまり、短辺側側面部３０側）が上方に位置する。更に、フランジ５（つまり、下方傾斜フランジ５Ａ）では、把手３との間において、隙間が形成されている。
【００２９】
尚、把手３は、カゴ本体２のフランジ５（つまり、傾斜部２２）に倒れた状態にあると、回動軸７側から回動軸７側の反対側に向かうに連れて上方向へ湾曲している。これにより、把手３は、傾斜部２２に載置される部分が、傾斜部２２に沿う形状になっている。また、傾斜部２２は、把手３に設けられてもよい。
【００３０】
（３）把手３の概要
把手３は、使用者が手で持つことができる把持部３Ａと、把持部３Ａの両端から延出した一対のアーム部３Ｂと、アーム部３Ｂの先端に形成された回動軸受け部３Ｃとを有する。回動軸受け部３Ｃは、カゴ本体２の回動軸７に取り付けられる。これにより、把手３は、カゴ本体２に回動可能に支持されている。以下、カゴ本体２のフランジ５（つまり、傾斜部２２）に倒れた状態にある把手３について、図４乃至図６に基づいて説明する。把手３がカゴ本体２のフランジ５（つまり、傾斜部２２）に倒れた状態に変位すると、各アーム部３Ｂは、長辺側側面部２０のフランジ５（つまり、傾斜部２２）の上面に沿うように位置する。これに対して、把持部３Ａは、短辺側側面部３０のフランジ５の上方向側に位置する。把持部３Ａには、張出部４０が設けられている。張出部４０の大部分は、フランジ５の外方へ張り出している。これにより、張出部４０が位置する側の下方には、カゴ本体２の第１凹部３２が位置する。張出部４０は、把持部３Ａの全体がカゴ本体２の外方へ突き出したような湾曲形状になっている。そのため、アーム部３Ｂと把持部３Ａ（つまり、張出部４０）との境界部３Ｄがなす角度は、９０度よりも大きくなっている。以上より、把手３は、略Ｃ字状に形成されている。尚、境界部３Ｄは、Ｒ面取りされている。また、図６に表されたカゴ本体２の平面視で買物カゴ１を視ると、カゴ本体２と把手３の張出部４０との間において、第１空間部５０が形成されている。第１空間部５０は、短辺側側面部３０の幅方向Ｄ３の中央部が端部よりも、長辺側側面部２０の幅方向Ｄ２で広くなっている。
【００３１】
張出部４０の下面には、カゴ本体２側の側端において、下方へ突き出したグリップ部４２が設けられている。従って、グリップ部４２は、カゴ本体２よりも外方側に位置する。尚、グリップ部４２は、把手３がカゴ本体２の傾斜部２２に載置される（把手３のアーム部３Ｂの）箇所にまで、延設されてもよい。
【００３２】
把手３には、張出部４０が設けられた部位において、短辺側側面部３０の幅方向Ｄ３の中央に向かうに連れて上方向へ入り込む、第２凹部４４が設けられている。これにより、図５に表された短辺側側面部３０の正面視（つまり、方向Ｄ２）で買物カゴ１を視ると、把手３の第２凹部４４とカゴ本体２の第１凹部３２（つまり、フランジ５）の間には、第２空間部５２が形成されている。
【００３３】
次に、カゴ本体２のフランジ５（つまり、傾斜部２２）から起立した状態にある把手３について、図７乃至図９に基づいて説明する。一対の把手３がカゴ本体２のフランジ５（つまり、傾斜部２２）から起立した状態に変位すると、カゴ本体２の上方にて、一対の把手３の張出部４０同士が当接する。その際、各把手３のグリップ部４２は、張出部４０の下端からカゴ本体２の外方へ向いた状態になる。
【００３４】
尚、図４及び図７において、中心線Ａよりも右側の断面は、一対の短辺側側面部３０の幅方向Ｄ３の中心を示す中心線Ｂ（図５、図８参照）で、買物カゴ１を切断した断面である。これに対して、図５及び図８において、中心線Ｂよりも右側の断面は、一対の長辺側側面部２０の幅方向Ｄ２の中心を示す中心線Ａ（図４、図７参照）で、買物カゴ１を切断した断面である。
【００３５】
（４）買物カゴ１の積み重ね
図１０及び図１１に表されたように、複数の買物カゴ１は、把手３がカゴ本体２に倒れた状態にあると、把手３がカゴ本体２の開放上面の上方に存在しないことから、上下に積み重ねられることが可能である。複数の買物カゴ１が上下に積み重ねられた状態では、下段側の買物カゴ１の把手３に対して、上段側の買物カゴ１の当接リブ６が載置される。更に、下段側の買物カゴ１のカゴ本体２の（長辺側側面部２０及び短辺側側面部３０）の内面に対して、上段側の買物カゴ１のカゴ本体２の（長辺側側面部２０及び短辺側側面部３０）の外面が積み重ねられる。
【００３６】
尚、図１１の断面は、一対の短辺側側面部３０の幅方向Ｄ３の中心を示す中心線（つまり、図５、図８に表された中心線Ｂ）で、複数の買物カゴ１を切断した断面である。
【００３７】
（５）まとめ
以上詳細に説明した通り、本実施形態の買物カゴ１では、把手３がカゴ本体２のフランジ５に倒れた状態に変位すると、カゴ本体２のフランジ５に設けられた傾斜部２２によって、把手３の回動軸７側よりも把手３の回動軸７側の反対側が上方に位置するので、把手３の回動軸７側の反対側が上方を向く。そのため、使用者は、把手３の回動軸７側の反対側を取り易い。これにより、本実施形態の買物カゴ１は、取り上げられる際のハンドリング性に優れる。
【００３８】
本実施形態の買物カゴ１において、把手３は、フランジ５の傾斜部２２に沿うようにして、倒れた状態に変位する。そのため、本実施形態の買物カゴ１は、カゴ本体２及び把手３の双方又は一方に傾斜部２２を別途取り付ける必要がないので、その取り付けの手間を省くことが可能である。
【００３９】
本実施形態の買物カゴ１においては、把手３が倒れるフランジ５として下方傾斜フランジ５Ａが設けられている。よって、把手３がカゴ本体２の下方傾斜フランジ５Ａに倒れた状態に変位すると、把手３と下方傾斜フランジ５Ａとの間に隙間が形成されるので、使用者は、下方傾斜フランジ５Ａに倒れた状態にある把手３を取り易い。更に、傾斜部２２によって把手３の把持部３Ａが離間している箇所（つまり、一対の短辺側側面部３０の各上辺）に下方傾斜フランジ５Ａが設けられているので、使用者は、把手３をより一層に取り易い。
【００４０】
本実施形態の買物カゴ１では、把手３がカゴ本体２のフランジ５（つまり、傾斜部２２）に倒れた状態にあるときのグリップ部４２が、把手３の張出部４０において、カゴ本体２側の側端から下方へ突き出している。よって、グリップ部４２は、把手３がカゴ本体２のフランジ５（つまり、傾斜部２２）から起立した状態に変位して、把手３の張出部４０同士が当接すると、把手３の張出部４０の下端からカゴ本体２の外方へ突き出した状態になる。そのため、カゴ本体２のフランジ５（つまり、傾斜部２２）から起立した状態において、互いに当接している把手３の張出部４０同士を、使用者が握ると、グリップ部４２によって、使用者の手（のひら）と把手３の張出部４０との接触面積が広がる。これにより、本実施形態の買物カゴ１は、取り上げられる際のグリップ性に優れる。
【００４１】
それゆえ、本実施形態の買物カゴ１では、使用者の手（のひら）で握り易くするためのカバー部材を把手３の張出部４０に取り付ける必要がないので、その取り付けの手間を省くことが可能である。
【００４２】
また、本実施形態の買物カゴ１では、把手３がカゴ本体２のフランジ５（つまり、傾斜部２２）に倒れた状態に変位すると、グリップ部４２が、カゴ本体２よりも外方側に位置する。そのため、使用者は、グリップ部４２（及び張出部４０）を下方から持ち上げるようにして、把手３を操作することが可能である。これにより、本実施形態の買物カゴ１は、取り上げられる際において、ハンドリング性を損なわずに、優れたグリップ性を確保することが可能である。
【００４３】
本実施形態の買物カゴ１では、把手３がカゴ本体２のフランジ５（つまり、傾斜部２２）に倒れた状態にあると、把手３の回動軸７側の反対側（つまり、短辺側側面部３０側）に設けられた張出部４０が、カゴ本体２よりもカゴ本体２の外方へ張り出す。そのため、使用者は、その指を把手３の張出部４０に掛け易い。よって、本実施形態の買物カゴ１は、取り上げられる際のハンドリング性に優れる。
本実施形態の買物カゴ１では、把手３がカゴ本体２のフランジ５（つまり、傾斜部２２）に倒れた状態にあると、カゴ本体２の平面視で、カゴ本体２と把手３の張出部４０との間に第１空間部５０が形成される。そのため、使用者は、その指を第１空間部５０に差し入れると、その指を把手３の張出部４０に一層掛け易くなる。これにより、本実施形態の買物カゴ１は、取り上げられる際のハンドリング性に優れる。
本実施形態の買物カゴ１において、把手３がカゴ本体２のフランジ５（つまり、傾斜部２２）に倒れた状態にあると、把手３の張出部４０が位置する側（つまり、短辺側側面部３０側）では、カゴ本体２に設けられた第１凹部３２が下方へ凹んだ状態にあり、更に、把手３の張出部４０に設けられた第２凹部４４が上方へ凹んだ状態になる。よって、カゴ本体２の（方向Ｄ２の）正面視で、カゴ本体２の第１凹部３２と把手３の張出部４０の第２凹部４４との間に形成される第２空間部５２によって、カゴ本体２と把手３との間が広く確保される。そのため、使用者は、その指を、カゴ本体２と把手３との間に比較的深くまで差し入れ易い。
以上より、本実施形態の買物カゴ１は、取り上げられる際のハンドリング性が一層優れる。
【００４４】
上述したハンドリング性やグリップ性は、上下に積み重ねられた複数の買物カゴ１のうち、最上段の買物カゴ１が取り上げられる際においても発揮される。また、カゴ本体２に対して１個の把手３のみが設けられた場合でも、上述したハンドリング性やグリップ性が発揮される。
【００４５】
ちなみに、本実施形態において、回動軸７は、「回動構成部」の一例である。傾斜部２２は、「跳ね上げ手段」の一例である。
【００４６】
（６）変更例
尚、本発明は上記実施形態に限定されるものでなく、その趣旨を逸脱しない範囲で様々な変更が可能である。
例えば、傾斜部２２は、上述した湾曲状に限定されるものでない。具体的には、図１２に表された傾斜部２２Ａの形状がある。以下の説明では、上記実施形態と実質的に共通する部分には同一の符号を付し、詳しい説明を省略する。買物カゴ１Ａでは、カゴ本体２のフランジ５において、回動軸７側に隣接する位置に上方へ突出した突起状の傾斜部２２Ａが設けられている。これにより、把手３は、カゴ本体２のフランジ５（つまり、傾斜部２２Ａ）に倒れた状態に変位すると、傾斜部２２Ａに載置されることによって、回動軸７側よりも回動軸７側の反対側が上方に位置する。このようにして、把手３は、カゴ本体２のフランジ５の一部に倒れた状態に変位してもよい。
【００４７】
また、張出部４０、第１凹部３２、及び第２凹部４４は、上述した平面視及び正面視で、略全体的に湾曲状に形成されているが、部分的に湾曲状に形成されていてもよいし、角張ったクランク状に形成されていてもよい。
【００４８】
また、把手３においては、アーム部３Ｂの先端に、回動軸７が設けられてもよい。そのような場合には、カゴ本体２の一対の長辺側側面部２０には、その幅方向Ｄ２の中央領域において、回動軸受け部３Ｃが設けられる。
【符号の説明】
【００４９】
１  買い物カゴ
２  カゴ本体
３  把手
５  フランジ
５Ａ  下方傾斜フランジ
７  回動軸
２２  傾斜部
３２  第１凹部
４０  張出部
４２  クリップ部
４４  第２凹部
５０  第１空間部
５２  第２空間部
【図１】
2020050389.tif 000003
【図２】
2020050389.tif 000004
【図３】
2020050389.tif 000005
【図４】
2020050389.tif 000006
【図５】
2020050389.tif 000007
【図６】
2020050389.tif 000008
【図７】
2020050389.tif 000009
【図８】
2020050389.tif 000010
【図９】
2020050389.tif 000011
【図１０】
2020050389.tif 000012
【図１１】
2020050389.tif 000013
【図１２】
2020050389.tif 000014